(57)【要約】【課題】特定入賞口の前方に永久磁石が存在していることを永久磁石の姿勢に拘らず精度良く検出すること。【解決手段】永久磁石を特定入賞口５３の前方で窓の前面に押当てる不正行為が実行されている不正行為中にリードスイッチ６６が回転軸６２を中心に回転し、リードスイッチ６６の姿勢が横向きの姿勢および縦向きの姿勢のそれぞれに変化する。このため、永久磁石が縦向きの姿勢で窓の前面に押当てられたときであってもリードスイッチ６６が横向きの姿勢から縦向きの姿勢に回転することに基づいて感動するので、特定入賞口５３の前方に永久磁石が存在していることを永久磁石の姿勢に拘らず精度良く検出することができる。【選択図】図６
2009195302.tif 000002
【特許請求の範囲】
【請求項１】
遊技球が転動することが可能な遊技領域を有する遊技盤と、
前記遊技盤の遊技領域を遊技者側である前方から視覚的に認識可能に覆う窓と、
前記遊技盤の遊技領域内に設けられ、遊技球が入球することが可能な入賞口と、
前記入賞口の後方に設けられ、遊技者側である前方から前記窓を介して前記入賞口に磁石が近付けられていることを検出するものであって隙間を介して相互に対向する２本の磁性リードを有すると共に２本の磁性リードのそれぞれが相互に異なる極性に磁化されることに基づいて相互に接触した状態になるリードスイッチと、
前記窓の前面に対して平行な一面に沿う方向へ指向する回転軸を中心に回転可能に設けられ、前記リードスイッチの２本の磁性リードのそれぞれが前記回転軸に対して直交する平面内で回転するように前記リードスイッチを支持するスイッチ台と、
前記リードスイッチの２本の磁性リードの双方が前記一面に沿う第１の姿勢および第１の姿勢に対して直交する第２の姿勢のそれぞれに回転するように前記スイッチ台を前記回転軸を中心に継続的に操作する駆動源を備えたことを特徴とするパチンコ遊技機。
【発明の詳細な説明】
【技術分野】
【０００１】
本発明は遊技者側である前方から窓を介して入賞口に磁石が近付けられていることを検出するリードスイッチを備えたパチンコ遊技機に関する。
【背景技術】
【０００２】
遊技者には磁石を用いて不正行為を行う者が存在する。この不正行為は遊技盤の遊技領域内に遊技球を発射しながら窓の前面に前方から磁石を押当て、遊技球を磁石に窓を介して吸着する行為である。この磁石はパチンコホールの店員に左手で窓を押えているように見せかけるために左手で把持されて窓の左上隅部に押付けられる傾向にあり、磁石を遊技球の吸着状態で窓の左上隅部から窓の前面に沿って動かすことで窓の左隅部とは異なる位置の入賞口に不正に入賞させることができる。
【特許文献１】特開２００５−１３７８７７号公報
【発明の開示】
【発明が解決しようとする課題】
【０００３】
上記パチンコ遊技機には入賞口の後方にリードスイッチを固定し、磁石が入賞口の前方で窓の前面に押当てられた場合にリードスイッチをオフ状態からオン状態に変化させることに基づいて磁石の存在を検出する構成のものがある。このリードスイッチは隙間を介して相互に対向する２本の磁性リードを有するものであり、２本の磁性リードのそれぞれが磁石からの磁力で相互に異なる極性に磁化されることに基づいて相互に接触したオン状態になる。このリードスイッチは磁石の姿勢によっては入賞口の前方に磁石が存在しているにも拘らずオン状態にならないことがあり、入賞口の前方に磁石が存在していることを検出する検出精度の点で改善の余地がある。
【０００４】
本発明は上記事情に鑑みてなされたものであり、入賞口の前方に磁石が存在していることを磁石の姿勢に拘らず精度良く検出することができるパチンコ遊技機を提供することを目的とするものである。
【課題を解決するための手段】
【０００５】
請求項１記載のパチンコ遊技機は［１］遊技盤〜［６］駆動源を備えたところに特徴を有している。
［１］遊技盤は遊技球が転動することが可能な遊技領域を有するものである。図２の符号１６は遊技盤に相当し、図２の符号２２は遊技領域に相当する。
［２］窓は遊技盤の遊技領域を遊技者側である前方から視覚的に認識可能に覆うものであり、図１の符号２１は窓に相当する。
［３］入賞口は遊技盤の遊技領域内に設けられたものであり、遊技球が入球することが可能なものである。図６の特定入賞口５３は入賞口に相当する。
［４］リードスイッチは入賞口の後方に設けられたものであり、遊技者側である前方から窓を介して入賞口に磁石が近付けられていることを検出するものである。このリードスイッチは隙間を介して相互に対向する２本の磁性リードを有するものであり、２本の磁性リードのそれぞれが相互に異なる極性に磁化されることに基づいて相互に接触した状態になる。図８の符号６６はリードスイッチに相当するものであり、図８の符号６８はリードスイッチ６６の磁性リードに相当する。
［５］スイッチ台は窓の前面に対して平行な一面に沿う方向へ指向する回転軸を中心に回転可能に設けられたものであり、リードスイッチの２本の磁性リードのそれぞれが回転軸に対して直交する平面内で回転するようにリードスイッチを支持するものである。図６の符号６５はスイッチ台に相当するものであり、図６の符号６２はスイッチ台６５の回転軸に相当する。
［６］駆動源はリードスイッチの２本の磁性リードの双方が窓の前面に対して平行な一面に沿う第１の姿勢および第１の姿勢に対して直交する第２の姿勢のそれぞれに回転するようにスイッチ台を回転軸を中心に継続的に操作するものである。このため、磁石を入賞口の前方で窓の前面に押当てる不正行為が実行されている不正行為中にリードスイッチの姿勢が第１の姿勢および第２の姿勢のそれぞれに変化する。従って、リードスイッチの両磁性リードのそれぞれが磁石からの磁力で相互に異なる極性に磁化される確率が高まるので、入賞口の前方に磁石が存在していることを磁石の姿勢に拘らず精度良く検出することができる。図６の振分けモータ４８は駆動源に相当するものであり、リードスイッチ６６を横向きの姿勢および縦向きの姿勢のそれぞれに回転操作する。リードスイッチ６６の横向きの姿勢は２本の磁性リード６８のそれぞれが窓２１の前面に対して平行な一面に沿う第１の姿勢に相当するものであり、リードスイッチ６６の縦向きの姿勢は２本の磁性リード６８のそれぞれが第１の姿勢に対して直交する第２の姿勢に相当するものである。
【発明を実施するための最良の形態】
【０００６】
【実施例１】
【０００７】
外枠１は、図１に示すように、複数の木材を前後面が開口する四角筒状に相互に接合することから構成されたものである。この外枠１には、図２に示すように、内枠２が装着されている。この内枠２は外枠１の前面を覆う閉鎖状態および外枠１の前面を開放する開放状態相互間で垂直な軸３を中心に回動操作可能にされたものであり、内枠ロック機構を介して閉鎖状態にロックされている。この内枠２の下端部には垂直な台板４が形成されている。この台板４の右下部にはスピーカ５が固定されており、遊技者にはスピーカ５から遊技音が出力される。
【０００８】
内枠２には、図１に示すように、内枠２の前方に位置して前枠６が装着されている。この前枠６は円形孔状の開口部７を有するものであり、内枠２の前面を閉鎖する閉鎖状態および内枠２の前面を開放する開放状態相互間で内枠２と共通の軸３を中心に回動操作可能にされている。この内枠２には枠鍵８が装着されている。この枠鍵８は前枠６を閉鎖状態にロックするロック状態および前枠６をロック解除するロック解除状態のそれぞれに専用の鍵を用いて操作されるものであり、前枠６は前枠６の閉鎖状態で枠鍵８がロック状態に操作されることに基づいて閉鎖状態にロックされる。この前枠６には上皿９が固定されている。この上皿９は上面が開口する容器状をなすものであり、内枠２の台板４には、図２に示すように、上皿９の後方に位置して払出口１０が固定されている。この払出口１０は強磁性材製の遊技球を上皿９内に払出すものであり、払出口１０から上皿９内に払出された遊技球は上皿９内に貯留される。
【０００９】
内枠２には、図１に示すように、前枠６の下方に位置して横長な長方形状の下皿板１１が固定されており、下皿板１１には下皿１２が固定されている。この下皿１２は上皿９内から溢れた遊技球を貯留するものであり、上面が開口する容器状をなしている。この下皿板１１には下皿１２の右方に位置してハンドル台１３が固定されており、ハンドル台１３には発射ハンドル１４が装着されている。この発射ハンドル１４は前後方向へ指向する軸１５を中心に回動操作可能にされたものであり、発射ハンドル１４が予め決められた初期位置から時計回り方向へ回動操作されたときには発射ソレノイドに駆動電源が与えられる。この発射ソレノイドの出力軸には打球槌が連結されている。これら発射ソレノイドおよび打球槌のそれぞれは内枠２の台板４に装着されたものであり、発射ソレノイドは駆動電源が与えられることに基づいて打球槌を待機位置および打球位置相互間で往復的に移動操作する。この打球槌は上皿９内から遊技球が１個単位で移送されるものであり、上皿９内から打球槌に移送された遊技球は打球槌が待機位置から打球位置へ移動することに基づいて打球槌によって叩かれる。
【００１０】
内枠２には、図２に示すように、台板４の上方に位置して垂直な板状の遊技盤１６が装着されており、遊技盤１６の前面には内レール１７と外レール１８と球止め部材１９のそれぞれが固定されている。内レール１７は上面が開口する円弧状をなすものであり、外レール１８は内レール１７の外周部に配置された円弧状をなすものであり、球止め部材１９は内レール１７の右端部および外レール１８の右端部相互間の隙間を塞いでいる。これら内レール１７および外レール１８相互間には左側部に位置して発射通路２０が形成されている。この発射通路２０は下端部および上端部のそれぞれが開口する円弧状をなすものであり、打球槌が叩いた遊技球は発射通路２０内に下端部から進入し、発射通路２０に沿って円弧状の軌跡を描きながら上昇した後に発射通路２０の上端部から放出される。
【００１１】
前枠６の後面には、図１に示すように、透明な窓２１が固定されており、窓２１は前枠６の閉鎖状態で遊技盤１６の遊技領域２２を前方から視覚的に認識可能に覆っている。この遊技領域２２は、図２に示すように、内レール１７と外レール１８と球止め部材１９によって囲まれた領域のうち発射通路２０を除く円形状の領域を称するものであり、発射通路２０の上端部から放出された遊技球が転動可能な最大範囲に相当する。この遊技領域２２内には非磁性材製の複数の障害釘が固定されており、発射通路２０の上端部から遊技領域２２内に放出された遊技球は障害釘に当りながら遊技領域２２内を転動する。この遊技盤１６の遊技領域２２内には、図３に示すように、始動口２３が固定されている。この始動口２３は上面が開口するポケット状をなすものであり、遊技領域２２内を転動する遊技球は始動口２３内に上面から入賞可能にされている。この始動口２３内には近接スイッチからなる始動口センサが固定されており、始動口センサは遊技球が始動口２３内に入賞したことを検出して始動信号を出力する。
【００１２】
遊技盤１６の遊技領域２２内には、図３に示すように、可変入賞装置３０が固定されている。この可変入賞装置３０は遊技領域２２内を転動する遊技球が入賞不能な閉鎖状態および入賞可能な開放状態相互間で切換えられるものであり、次のように構成されている。遊技盤１６には、図４に示すように、役物ケース３１のフランジ３２が固定されている。この役物ケース３１は前面が開口し且つ後面が閉鎖された箱状をなすものであり、フランジ３２は役物ケース３１を取囲む垂直な枠状をなしている。この役物ケース３１には、図３に示すように、２枚の羽根板３３のそれぞれが前後方向へ指向する軸３４を中心に回転可能に装着されている。これら両軸３４のそれぞれは共通の羽根板ソレノイドに連結されており、羽根板ソレノイドの断電時には両羽根板３３のそれぞれが軸３４を中心に垂直な閉鎖状態に操作され（二点鎖線参照）、羽根板ソレノイドの通電時には両羽根板３３のそれぞれが軸３４を中心に傾斜した開放状態に操作される（実線参照）。
【００１３】
役物ケース３１には、図３に示すように、両羽根板３３の上方に位置して庇３５が固定されている。この庇３５は、図４に示すように、遊技盤１６の前面に対して前方へ突出するものであり、庇３５の下方には上ステージ３６が対向配置されている。この上ステージ３６は役物ケース３１内に固定されたものであり、庇３５および上ステージ３６相互間には、図３に示すように、左端部および右端部のそれぞれに位置して空間状の可変入賞口３７が形成されている。これら両可変入賞口３７のそれぞれは遊技領域２２内の遊技球を上ステージ３６の上面に進入させるものであり、羽根板３３の閉鎖状態で遊技球が入賞不能に閉鎖され、羽根板３３の開放状態で遊技球が入賞可能に開放される。この上ステージ３６の後端部には、図４に示すように、左右方向の中央部に位置して落下孔３８が形成されており、上ステージ３６の上面は両可変入賞口３７のそれぞれを通して上ステージ３６の上面に進入した遊技球が落下孔３８に向けて転動するように傾斜している。
【００１４】
役物ケース３１には、図３に示すように、上面および下面のそれぞれが開口する筒状のトンネル３９が固定されている。このトンネル３９の上面は上ステージ３６の落下孔３８に接続されており、両可変入賞口３７のそれぞれに入賞した遊技球は上ステージ３６の上面から落下孔３８を通してトンネル３９内に進入する。役物ケース３１内には上ステージ３６の下方に位置して下ステージ４０が固定されており、トンネル３９の下面は、図５に示すように、下ステージ４０の後端部に左右方向の中央部で対向配置されている。この下ステージ４０はトンネル３９の下面から遊技球が放出されるものであり、下ステージ４０の上面は後から前に向けて下降する傾斜状に設定されている。この下ステージ４０には左レール４１および右レール４２のそれぞれが固定されている。これら左レール４１および右レール４２のそれぞれは下ステージ４０の上面から突出するものであり、下ステージ４０には左レール４１および右レール４２の双方の前方に位置して円形孔状の開口部４３が形成されている。これら左レール４１および右レール４２相互間には隙間状の球通路４４が形成されており、トンネル３９の下面から下ステージ４０の上面に放出された遊技球は球通路４４内を後から前に向けて転動する。
【００１５】
役物ケース３１内には、図６に示すように、下ステージ４０の下方に位置して機構板４５が固定されている。この機構板４５は下ステージ４０の傾斜状の上面に対して平行な平板状をなすものであり、機構板４５には機構板４５に対して垂直な円柱状のシャフト４６が回転可能に装着されている。このシャフト４６の上端部には円形状の振分け板４７が固定されており、振分け板４７は下ステージ４０の開口部４３内に挿入されている。これら振分け板４７の上面および下ステージ４０の上面は共通の平面上に配置されており、球通路４４内を後から前に向けて転動する遊技球は振分け板４７の上面に供給される。
【００１６】
機構板４５には、図６に示すように、振分けモータ４８が固定されている。この振分けモータ４８は減速機構を内蔵するギアドモータからなるものであり、機構板４５に対して垂直な円柱状の出力軸４９を有している。この出力軸４９には小歯車５０が同心状に固定されており、小歯車５０には大歯車５１が噛合されている。この大歯車５１は振分け板４７のシャフト４６に同心状に固定されたものであり、振分けモータ４８の運転状態では振分けモータ４８の出力軸４９の回転力が小歯車５０から大歯車５１に伝達され、振分け板４７が振分けモータ４８の回転速度に比べて遅い速度でシャフト４６を中心に回転操作される。この振分けモータ４８は一定方向へ一定速度で継続的に運転されるものであり、振分け板４７は振分けモータ４８の回転方向に応じた一定方向へ振分けモータ４８の回転速度に応じた一定速度で継続的に回転操作される。
【００１７】
振分け板４７には、図６示すように、複数の障害ピン５２が固定されている。これら複数の障害ピン５２のそれぞれは振分け板４７の上面から突出する円柱状をなすものであり、振分け板４７が回転することに基づいてシャフト４６を中心に円周方向へ移動する。これら複数の障害ピン５２のそれぞれは球通路４４から振分け板４７の上面に供給された遊技球が衝突するものであり、遊技球の転動方向は障害ピン５２に衝突することに基づいて変化する。
【００１８】
下ステージ４０には、図５に示すように、振分け板４７の前方に位置して特定入賞口５３が固定され、特定入賞口５３の左方に隣接して左普通入賞口５４が固定され、特定入賞口５３の右方に隣接して右普通入賞口５５が固定されている。これら特定入賞口５３と左普通入賞口５４と右普通入賞口５５のそれぞれは上面および下面のそれぞれが開口する通路状をなすものであり、遊技球は障害ピン５２に衝突することに基づいて特定入賞口５３と左普通入賞口５４と右普通入賞口５５のいずれかに上面から入賞する。この特定入賞口５３の前面には、図３に示すように、「Ｖ」のマークが前方から視覚的に認識可能に形成されており、遊技者は遊技球の左右方向の位置を「Ｖ」のマークと比較することに基づいて遊技球が特定入賞口５３に入賞したか否かを容易に識別することができる。
【００１９】
役物ケース３１内には特定入賞口センサと左普通入賞口センサと右普通入賞口センサのそれぞれが固定されている。これら特定入賞口センサ〜右普通入賞口センサのそれぞれは近接スイッチからなるものであり、特定入賞口センサは遊技球が特定入賞口５３内に入賞したことを検出して大当り信号を出力し、左普通入賞口センサは遊技球が左普通入賞口５４内に入賞したことを検出して外れ信号を出力し、右普通入賞口センサは遊技球が右普通入賞口５５内に入賞したことを検出して外れ信号を出力する。可変入賞装置３０は以上のように構成されている。
【００２０】
始動口センサは、図７に示すように、マイクロコンピュータを主体に構成されたメイン制御回路２４に接続されている。このメイン制御回路２４には羽根板ソレノイドが接続されており、メイン制御回路２４は始動口センサからの始動信号を検出することに基づいて羽根板ソレノイドに予め決められたオン時間（例えば０．８秒）だけ電源を供給し、可変入賞装置３０の両可変入賞口３７のそれぞれを予め決められた一定時間だけ開放する始動遊技を行う。このメイン制御回路２４には特定入賞口センサと左普通入賞口センサと右普通入賞口センサのそれぞれが接続されており、メイン制御回路２４は始動遊技を開始したことを基準に予め決められた入賞待ち時間（例えば２．０秒）が経過するまでの期間内に特定入賞口センサからの大当り信号を検出することに基づいて大当り遊技を開始する。この大当り遊技は羽根板ソレノイドを予め決められた大当りパターンでオンオフすることに基づいて両可変入賞口３７のそれぞれを開閉するものであり、メイン制御回路２４は始動遊技を開始してから入賞待ち時間が経過するまでの期間内に特定入賞口センサからの大当り信号を検出しなかったときには大当り遊技を開始しない。
【００２１】
内枠２には、図２に示すように、遊技盤１６の後方に位置してメインセット２５が装着されており、メインセット２５の上端部には球タンク２６が固定されている。この球タンク２６は台島の球補給装置から遊技球が補給されるものであり、球タンク２６内には球補給装置から補給された遊技球が貯留されている。このメインセット２５には賞球払出装置が固定されている。この賞球払出装置は球タンク２６内の遊技球を払出口１０から上皿９内に払出すものであり、駆動源としてステッピングモータを有している。このステッピングモータは賞球制御回路を介してメイン制御回路２４に接続されている。このメイン制御回路２４は始動口センサからの始動信号と特定入賞口センサからの大当り信号と左普通入賞口センサからの外れ信号と右普通入賞口センサからの外れ信号のそれぞれを検出することに基づいて賞球制御回路に賞球コマンドを送信するものであり、賞球制御回路は賞球コマンドを受信することに基づいてステッピングモータを運転し、球タンク２６内の遊技球を賞球払出装置から払出口１０を通して上皿９内に賞品として払出す。この賞球制御回路はマイクロコンピュータを主体に構成されたものである。
【００２２】
遊技者には永久磁石を用いて不正行為を行う者が存在する。この不正行為は遊技盤１６の遊技領域２２内に遊技球を発射しながら窓２１の前面に前方から永久磁石を押当てることに基づいて遊技領域２２内の遊技球を永久磁石の磁力で吸着する行為であり、永久磁石が可変入賞装置３０の特定入賞口５３の前方に「Ｖ」のマークを目印に押当てられたときには始動遊技で可変入賞装置３０の両可変入賞口３７のそれぞれに入賞した遊技球が永久磁石の磁力で吸着されることに基づいて特定入賞口５３に入賞してしまう。不正検出機構６０は特定入賞口５３の前方に窓２１を介して永久磁石が押当てられていることを検出するものであり、次のように構成されている。
【００２３】
可変入賞装置３０の機構板４５には、図６に示すように、前端部に位置して台座６１が固定されており、台座６１には特定入賞口５３の後方に位置して回転軸６２が回転可能に装着されている。この回転軸６２は窓２１の前面に対して平行に上下方向へ指向する円柱状をなすものであり、回転軸６２の軸心線は「Ｖ」のマークの左右方向の中心線に重ねられている。この回転軸６２には円錐状のかさ歯車６３が同心状に固定されており、かさ歯車６３には円錐状のかさ歯車６４が噛合されている。このかさ歯車６４は振分けモータ４８の出力軸４９に同心状に固定されたものであり、振分けモータ４８の運転状態では回転軸６２が振分けモータ４８の回転方向に応じた一定方向へ振分けモータ４８の回転速度に応じた一定速度で垂直な軸心線を中心に回転操作される。この回転軸６２には円形板状のスイッチ台６５が同心状に固定されており、スイッチ台６５は振分けモータ４８の回転方向に応じた一定方向へ振分けモータ４８の回転速度に応じた一定速度で回転軸６２を中心に継続的に回転する。このスイッチ台６５は窓２１の前面に対して直交する水平な下面を有するものであり、振分けモータ４８とかさ歯車６３とかさ歯車６４はスイッチ台６５を回転操作する操作機構を構成している。これらかさ歯車６３およびかさ歯車６４はギア比が「１：１」に設定されており、スイッチ台６５の回転速度は振分けモータ４８の出力軸４９の回転速度と同一に設定されている。
【００２４】
スイッチ台６５の下面には、図８に示すように、リードスイッチ６６が固定されている。このリードスイッチ６６はガラス管６７内に強磁性体からなる２本の磁性リード６８を収納することから構成されたものであり、ガラス管６７内には両磁性リード６８のそれぞれの活性化を防ぐための窒素ガスが封入されている。これら両磁性リード６８のそれぞれは片持ち状のばね部材からなるものであり、両磁性リード６８のそれぞれの一端部である固定端はガラス管６７に固定されている。これら両磁性リード６８のそれぞれは磁化されていない状態で直線的な自由状態になるものであり、両磁性リード６８のそれぞれの自由状態では一方の磁性リード６８の自由端部および他方の磁性リード６８の自由端部相互間が隙間を介して相互に対向し、リードスイッチ６６が電気的なオフ状態になる。これら両磁性リード６８のそれぞれの自由端部が相互に異なる極性に磁化されたときには弾性力に抗して磁力で相互に接触し、リードスイッチ６６が電気的なオン状態になる。このリードスイッチ６６は永久磁石が窓２１の前面に特定入賞口５３の前方で押当てられていることを検出するものであり、リードスイッチ６６の感動値はリードスイッチ６６が振分けモータ４８からの磁力で反応しない値に設定されている。
【００２５】
リードスイッチ６６は、図８に示すように、中心点ＣＰが回転軸６２の軸心線の延長線上に位置するようにスイッチ台６５に固定されたものであり、２本の磁性リード６８のそれぞれが窓２１の前面に対して直交する水平な平面内で回転するようにスイッチ台６５に支持されている。このリードスイッチ６６の中心点ＣＰとは両磁性リード６８のそれぞれが自由状態で相互に重なるオーバーラップ部相互間の対角線の中心点を称するものであり、振分けモータ４８の運転状態ではリードスイッチ６６の中心点ＣＰから窓２１の前面に至る検出距離が一定に保たれたままリードスイッチ６６が中心点ＣＰを中心に回転し、窓２１の前面に対するリードスイッチ６６の姿勢が横向きの姿勢および縦向きの姿勢のそれぞれに変化する。図１０の（ａ）の実線はリードスイッチ６６を横向きの姿勢で示すものであり、リードスイッチ６６の横向きの姿勢とは両磁性リード６８のそれぞれが窓２１の前面に対して平行な姿勢を称する。図１０の（ａ）の二点鎖線はリードスイッチ６６を縦向きの姿勢で示すものであり、リードスイッチ６６の縦向きの姿勢とは両磁性リード６８のそれぞれが窓２１の前面に対して垂直な姿勢を称する。
【００２６】
図９は永久磁石Ｍおよびリードスイッチ６６のそれぞれが横向きの姿勢にある場合のリードスイッチ６６の動作パターンである。この永久磁石Ｍは形状と大きさと磁力のそれぞれが不正行為を行うためのものとして予め決められものであり、永久磁石Ｍの横向きの姿勢とは永久磁石Ｍの長尺な端面が窓２１の前面に対して平行な姿勢を称する。この図９のＸ方向は窓２１の前面に対して平行な左右方向であり、Ｙ方向は窓２１の前面に対して直角な前後方向であり、Ｘ方向の基準点（Ｘ＝０）は永久磁石Ｍの長手方向の中心線Ｂの延長上にリードスイッチ６６の中心点ＣＰが重なる位置に相当し、Ｙ方向の基準点（Ｙ＝０）は永久磁石Ｍの長尺な端面がリードスイッチ６６に押当てられた位置に相当する。これら永久磁石Ｍおよびリードスイッチ６６のそれぞれが横向きの姿勢にある場合にはリードスイッチ６６のオン領域がＸ方向の基準点（Ｘ＝０）を中心に左方向および右方向のそれぞれに存在するので、永久磁石Ｍが横向きの姿勢で「Ｖ」のマークを目印に窓２１の前面に押当てられた場合にはリードスイッチ６６のオン領域内に位置している確率が高い。このため、リードスイッチ６６の両磁性リード６８のそれぞれが相互に異なる極性に磁化されるので、リードスイッチ６６がオン状態になる。
【００２７】
図１０は永久磁石Ｍが縦向きの姿勢にあり、リードスイッチ６６が横向きの姿勢にある場合のリードスイッチ６６の動作パターンであり、永久磁石Ｍの縦向きの姿勢とは永久磁石Ｍの短尺な端面が窓２１の前面に対して平行な姿勢を称する。この図１０のＸ方向の基準点（Ｘ＝０）は永久磁石Ｍの短手方向の中心線Ｃの延長上にリードスイッチ６６の中心点ＣＰが重なる位置に相当し、Ｙ方向の基準点（Ｙ＝０）は永久磁石Ｍの短尺な端面がリードスイッチ６６に押当てられた位置に相当する。この永久磁石Ｍが縦向きでリードスイッチ６６が横向きの姿勢にある場合にはリードスイッチ６６のオフ領域がＸ方向の基準点（Ｘ＝０）を中心に左方向および右方向のそれぞれに存在するので、永久磁石Ｍが縦向きの姿勢で「Ｖ」のマークを目印に窓２１の前面に押当てられた場合にはリードスイッチ６６のオフ領域内に位置している確率が高い。しかしながら、リードスイッチ６６が中心点ＣＰを中心に回転することに基づいて横向きの姿勢から縦向きの姿勢に変化するので、両磁性リード６８のそれぞれに永久磁石Ｍから軸方向に磁界が加わる。このため、両磁性リード６８のそれぞれが相互に異なる極性に磁化されるので、リードスイッチ６６がオン状態になる。即ち、永久磁石Ｍが横向きの姿勢および縦向きの姿勢のそれぞれで窓２１の前面に押当てられたときであっても永久磁石Ｍの姿勢に拘らずリードスイッチ６６が感動する。
【００２８】
機構板４５には、図６に示すように、ホルダ６９が固定されている。このホルダ６９はスイッチ台６５と同心な円筒状をなすものであり、スイッチ台６５はホルダ６９の内部に同心状に回転可能に挿入されている。このホルダ６９の底板には円筒状の外スリップリング７０がスイッチ台６５に対して同心状に固定されている。この外スリップリング７０は、図７に示すように、リードスイッチ６６の一方の接続端子として機能するものであり、導電性の金属から構成されている。ホルダ６９の底板には、図６に示すように、円筒状の内スリップリング７１がスイッチ台６５に対して同心状に固定されている。この内スリップリング７１は、図７に示すように、リードスイッチ６６の他方の接続端子として機能するものであり、導電性の金属から構成されている。この内スリップリング７１は外スリップリング７０の内部に配置されたものであり、内スリップリング７１の外周面および外スリップリング７０の内周面相互間には隙間が形成されている。
【００２９】
リードスイッチ６６の一方の磁性リード６８には、図６に示すように、導電性の金属からなる外ブラシ７２が固定されている。この外ブラシ７２はリードスイッチ６６の一方の磁性リード６８を外スリップリング７０に電気的に接続するものであり、振分けモータ４８の運転状態で外スリップリング７０の内周面に接触しながら回転軸６２を中心に円周方向へ移動する。リードスイッチ６６の他方の磁性リード６８には導電性の金属からなる内ブラシ７３が固定されている。この内ブラシ７３はリードスイッチ６６の他方の磁性リード６８を内スリップリング７１に電気的に接続するものであり、振分けモータ４８の運転状態で内スリップリング７１の外周面に接触しながら回転軸６２を中心に円周方向へ移動する。
【００３０】
リードスイッチ６６は、図７に示すように、スイッチ回路７４を介してメイン制御回路２４に接続されている。このスイッチ回路７４は抵抗７５と２個の基準抵抗７６と抵抗７７と雑防用のコンデンサ７８とコンパレータ７９とトランジスタ８０を有するものであり、リードスイッチ６６のオフ状態ではコンパレータ７９からの出力信号がＬｏレベルになることに基づいてトランジスタ８０がオフされ、メイン制御回路２４にＨｉレベルのスイッチ信号Ｓが入力される。このリードスイッチ６６がオフ状態からオン状態に切換わったときにはコンパレータ７９からの出力信号がＨｉレベルになることに基づいてトランジスタ８０がオンされ、メイン制御回路２４にＬｏレベルのスイッチ信号Ｓが入力される。このメイン制御回路２４はＨｉレベルのスイッチ信号Ｓを検出している状態ではリードスイッチ６６がオフされていると判断するものであり、スイッチ信号ＳがＨｉレベルからＬｏレベルに切換わったことを検出することに基づいてリードスイッチ６６がオンされたと判断する。
【００３１】
メイン制御回路２４には、図７に示すように、不正ＬＥＤ８１が接続されている。この不正ＬＥＤ８１は、図１に示すように、前枠６に前方から視覚的に認識可能に固定されたものであり、メイン制御回路２４はリードスイッチ６６がオフされていると判断しているときには不正ＬＥＤ８１を消灯し、リードスイッチ６６がオンされていると判断しているときには不正ＬＥＤ８１を点灯する。この不正ＬＥＤ８１は不正報知手段に相当するものであり、パチンコホールの従業員は不正ＬＥＤ８１が点灯していないことを目で確認することに基づいて永久磁石Ｍを用いた不正行為が行われていないと識別でき、不正ＬＥＤ８１が点灯していることを目で確認することに基づいて永久磁石Ｍを用いた不正行為が行われていると識別できる。
【００３２】
上記実施例１によれば次の効果を奏する。
永久磁石Ｍを特定入賞口５３の前方で窓２１の前面に押当てる不正行為が実行されている不正行為中にリードスイッチ６６が回転軸６２を中心に回転し、リードスイッチ６６の姿勢が横向きの姿勢および縦向きの姿勢のそれぞれに変化する。このため、永久磁石Ｍが縦向きの姿勢で窓２１の前面に押当てられたときであってもリードスイッチ６６が横向きの姿勢から縦向きの姿勢に回転することに基づいて感動するので、特定入賞口５３の前方に永久磁石Ｍが存在していることを永久磁石Ｍの姿勢に拘らず精度良く検出することができる。
【００３３】
上記実施例１においては、振分けモータ４８とは異なる専用のモータまたはロータリーソレノイド等の駆動源を用いてスイッチ台６５を回転軸６２を中心に継続的に回転操作しても良い。この構成の場合、スイッチ台６５を予め決められた第１の位置および予め決められた第２の位置相互間で往復的に回転操作し、リードスイッチ６６の姿勢を横向きの姿勢および縦向きの姿勢相互間で変化させても良い。
【００３４】
上記実施例１においては、始動口２３の後方に不正検出機構を配置し、永久磁石Ｍが始動口２３の前方で窓２１の前面に押当てられていることを検出しても良い。
上記実施例１においては、かさ歯車６３およびかさ歯車６４相互間のギア比をスイッチ台６５が振分けモータ４８の出力軸４９に対して非同一な速度で回転する値に設定しても良い。
【００３５】
上記実施例１には特許請求の範囲に記載された発明に加えて次のその他発明が記載されている。
［その他発明］
遊技球が転動することが可能な遊技領域を有する遊技盤と、
前記遊技盤の遊技領域を遊技者側である前方から視覚的に認識可能に覆う窓と、
前記遊技盤の遊技領域内に設けられ、遊技球が入球することが可能な始動口と、
前記遊技盤の遊技領域内に設けられ、前記遊技盤の遊技領域内を転動する遊技球が入球することが可能な開放状態および入球することが不能な閉鎖状態相互間で切換えられる可変入賞口と、
遊技球が前記始動口に入球することに基づいて前記可変入賞口を予め決められた時間だけ開放状態にする始動遊技を行う始動遊技手段と、
前記遊技盤の遊技領域内を転動する遊技球が前記可変入賞口を通して入球することが可能な特定入賞口および普通入賞口と、
軸を中心に回転可能に設けられ、前記可変入賞口に入球した遊技球を前記特定入賞口および前記普通入賞口に振分ける振分け部材と、
前記振分け部材を一定方向へ一定速度で前記軸を中心に継続的に回転操作する振分けモータと、
遊技球が前記特定入賞口に入球することに基づいて前記可変入賞口を予め決められた単位時間だけ開放状態にする動作を繰返す大当り遊技を行う大当り遊技手段と、
前記特定入賞口の後方に設けられ、遊技者側である前方から前記窓を介して前記特定入賞口に磁石が近付けられていることを検出するものであって隙間を介して相互に対向する２本の磁性リードを有すると共に２本の磁性リードのそれぞれが相互に異なる極性に磁化されることに基づいて相互に接触した状態になるリードスイッチと、
前記窓の前面に対して平行な回転軸を中心に回転可能なものであって、前記リードスイッチの２本の磁性リードのそれぞれが前記窓の前面に対して直交する平面内で回転するように前記リードスイッチを支持するスイッチ台と、
前記スイッチ台を前記振分けモータの回転力で前記振分け部材と同一または非同一な一定方向へ前記振分け部材と同一または非同一な一定速度で継続的に回転操作することに基づいて前記リードスイッチの姿勢を２本の磁性リードのそれぞれが前記窓の前面に対して平行となる第１の姿勢および２本の磁性リードのそれぞれが前記窓の前面に対して直交する第２の姿勢のそれぞれにするものであって、複数の機械要素の集合体からなる操作機構を備えたことを特徴とするパチンコ遊技機。
【図面の簡単な説明】
【００３６】
【図１】実施例１を示す図（パチンコ遊技機の外観を前方から示す図）
【図２】内枠の外観を斜め前方から示す斜視図
【図３】遊技盤の外観を前方から示す図
【図４】図３のＸ４線に沿う断面図
【図５】図３のＸ５線に沿う断面図
【図６】図３のＸ６線に沿う断面図
【図７】スイッチ回路を示す図
【図８】リードスイッチを示す図
【図９】リードスイッチの動作パターンを示す図
【図１０】リードスイッチの動作パターンを示す図
【符号の説明】
【００３７】
１６は遊技盤、２１は窓、２２は遊技領域、４８は振分けモータ（駆動源）、５３は特定入賞口（入賞口）、６２は回転軸、６５はスイッチ台、６６はリードスイッチ、６８は磁性リードを示している。
【図１】
2009195302.tif 000003
【図２】
2009195302.tif 000004
【図３】
2009195302.tif 000005
【図４】
2009195302.tif 000006
【図５】
2009195302.tif 000007
【図６】
2009195302.tif 000008
【図７】
2009195302.tif 000009
【図８】
2009195302.tif 000010
【図９】
2009195302.tif 000011
【図１０】
2009195302.tif 000012